(57)【要約】【課題】電気分解や電気浸透による水分の排出ではなく、電気泳動による汚泥ケーキ中の水分の移動偏在により、偏在した水分を不織布で吸引することにより高い脱水効果を得ることが出来る装置を提供する【解決手段】濾過脱水機構を上下に装備した汚泥脱水装置において、濾過脱水機構が、濾体と、該濾体を軸受けブロックとカムフォロワに接合する濾体軸と、軸受けブロックと、軸受けブロックを設置するためのチェーンアタッチメントを装備したチェーンと、濾体軸を進行方向へ動かすためのチェーン駆動用のローラと、凹凸のある板カムと、濾体軸と接合するカムフォロワとからなるとともに、隣接する濾体との間に汚泥が滞留して目詰まりを起さないように、吸水布の下部に設置される複数の濾体の各軸を隣接する濾体軸とずらして設置して隣接する濾体を不規則に動作させるように濾体軸に接合しているカムフォロワが板カムの形状に沿って上下にランダムに動く構造である。【選択図】  図１
2006055857.tif 000002
【特許請求の範囲】
【請求項１】
汚泥ケーキに押圧接触させて水分を吸い取る吸水布と複数の濾体を整列させた濾過脱水機構を上下に装備した汚泥脱水装置において、
濾過脱水機構が、濾体と、該濾体を軸受けブロックとカムフォロワに接合する濾体軸と、軸受けブロックと、軸受けブロックを設置するためのチェーンアタッチメントを装備したチェーンと、濾体軸を進行方向へ動かすためのチェーン駆動用のローラと、凹凸のある板カムと、濾体軸と接合するカムフォロワとからなるとともに、
隣接する濾体との間に汚泥が滞留して目詰まりを起さないように、吸水布の下部に設置される複数の濾体の各軸を隣接する濾体軸とずらして設置して隣接する濾体を不規則に動作させるように濾体軸に接合しているカムフォロワが板カムの形状に沿って上下にランダムに動くことを特徴とする汚泥脱水装置
【請求項２】
汚泥ケーキに吸水布を押圧接触させて水分を吸い取る方式の汚泥脱水装置において、係止突起を突設した伸延しない素材からなる伸び防止帯を吸水布の裏面側に係止突起で刺合させて装着したことを特徴とする請求項１記載の汚泥脱水装置
【請求項３】
前記伸び防止帯は、面ファスナーからなることを特徴とする請求項１記載の汚泥脱水装置
【請求項４】
前記伸び防止帯は、通水用の貫通孔若しくはスリットが設けられていることを特徴とする請求項１および２記載の汚泥脱水装置
【請求項５】
前記伸び防止帯は、吸水布の幅と同一に形成され、吸水布の裏面の全面に装着されるか、または、細長帯体からなり吸水布の裏面に間隔を開けて帯状に装着されることを特徴とする請求項１〜３いずれか記載の汚泥脱水装置
【請求項６】
汚泥ケーキに吸水布を押圧接触させて汚泥の水分を吸水し、吸水布を押圧脱水するとともに回転ブラシで清掃する方式の汚泥脱水装置において、脱水した状態の吸水布の汚れを取る回転ブラシの回転により吸水布の表面が毛羽立たないように回転ブラシを保護ネットの内部に装備したことを特徴とする請求項１記載の汚泥脱水装置
【請求項７】
前記保護ネットは、円筒形若しくは円弧形状の長板からなることを特徴とする請求項６記載の汚泥脱水装置
【発明の詳細な説明】
【技術分野】
【０００１】
本発明は各種産業排水すなわち下水道汚泥、衛生センター（し尿処理等）汚泥、水産加工業汚泥、食肉加工業汚泥、食品飲料工業汚泥、化学工業汚泥、畜産汚泥、産廃汚泥等々の汚泥排水の脱水処理装置に関し、特に、汚泥水を汚泥処理装置で脱水する際に使用する吸水布が伸びてしまうのを防ぐと共に、吸水布を毛羽立たせないために保護ネットを装備し、更に吸水布を設置する濾過脱水機構が目詰まりを起こさないように複数の濾体が交互に動く構造とした吸水布及び濾過脱水機構を備えた汚泥脱水装置に関する。
【背景技術】
【０００２】
汚泥を脱水する装置としては様々な脱水方法による装置が開発されており、それぞれの装置は最終的に水分の脱水された汚泥ケーキを排出口より排出し、汚泥ケーキは適宜な運搬手段で搬出されている。排出される汚泥ケーキの含水率を下げることは、運搬の重量と体積に関連するので、少しでも含水率を下げる技術が研究開発されている。
【０００３】
含水率を下げる方法として、脱水された汚泥ケーキにさらに強加圧を加えて脱水する物理的な方法や電気分解や電気浸透等の電気的な方法で脱水する方法が用いられている。強加圧脱水方式では、含水率を下げる為に汚泥ケーキを挟む圧力を上げて脱水効率を上げることが工夫されている。ただし、実測では圧力を上げても効果的には含水率は下がらない欠点がある。また、汚泥ケーキを揉むようにするとさらに脱水が進行することが知られているが、汚泥ケーキを挟んだ状態で脱水布に揉むような特殊な力をかけると脱水布が破損する可能性もある他に、脱水布自体が目詰まり状態となり、実験的にも効率的な脱水は困難であった。また、一度目詰まりを起こした脱水布はその後の工程で洗浄しても目詰まりは容易に解消できないという欠点もある。
【０００４】
一般的な脱水方式としては、吸水布を汚泥ケーキに密着させて毛細管現象により水分を吸収する方式がある。この方式は電気分解のように多量の電気を使用しないためコストに優れている利点がある。水分を含んだ吸水布は絞りロール等で水分を押圧搾出させて再度汚泥ケーキに押圧させて水分を吸収する。しかし、吸水布は使用すれば使用するほど弛んで伸びる欠点がある。一度弛んだ吸水布は再生不可能であり吸水効果が下がるので、吸水布の交換を余儀なくされる。
【０００５】
また、汚泥ケーキに押圧させて水分を吸収する吸水布は、付着物が表面に付くために回転ブラシ等で表面の汚れを落とす必要がある。しかし、回転ブラシを使用して付着物を除去すると、逆に泥等が吸水布内部に潜入して吸水布の洗浄が困難となり、さらに回転ブラシにより吸水布の表面が毛羽立つという問題があった。表面が毛羽立つと汚泥ケーキに接触させて水分を吸収する際に吸水布に泥が入り込みやすくなり吸水率が落ちるという問題を生じていた。
【０００６】
吸水布を装備するとともに、複数の濾体列の上に汚泥を搭載して、濾体の隙間から汚泥の水分を排出させる方式の汚泥脱水装置も開発されている。この装置では、吸水布で水分を吸収し、更に吸水布の下部に濾体を配置して、濾体と濾体の間にできる間隙から水分を排水している。吸水布と濾体による濾過脱水との組み合わせは汚泥から水分を効果的に排水できる効果がある。しかし、複数の濾体間に汚泥が付着すると、間隙を泥が塞いでしまうため目詰まりを起こし水分の排水効果が低下する問題があった。
吸水効果の高い吸水布と複数の濾体を持つ脱水機構を組み合わせて用いても上記のような問題があったため、効率的な排水が実現できない問題点があったので、上記問題を解決する汚泥脱水装置の開発が待たれていた。
【特許文献１】特開平１−４９８９８号公報
【特許文献２】特開平１１−１６５１９６号公報
【発明の開示】
【発明が解決しようとする課題】
【０００７】
本件発明は、上記の問題を解決するための装置であり、吸水布が伸びて弛まず且つ濾体に目詰まりの起きない吸水効率のよい汚泥脱水装置を提供する事を目的としている。
【課題を解決するための手段】
【０００８】
上記目的を達成するために本発明に係る汚泥脱水装置は、汚泥ケーキに押圧接触させて水分を吸い取る吸水布と複数の濾体を整列させた濾過脱水機構を上下に装備した汚泥脱水装置において、濾過脱水機構が、濾体と、該濾体を軸受けブロックとカムフォロワに接合する濾体軸と、軸受けブロックと、軸受けブロックを設置するためのチェーンアタッチメントを装備したチェーンと、濾体軸を進行方向へ動かすためのチェーン駆動用のローラと、凹凸のある板カムと、濾体軸と接合するカムフォロワとからなるとともに、隣接する濾体との間に汚泥が滞留して目詰まりを起さないように、吸水布の下部に設置される複数の濾体の各軸を隣接する濾体軸とずらして設置して隣接する濾体を不規則に動作させるように濾体軸に接合しているカムフォロワが板カムの形状に沿って上下にランダムに動く構成である。
【０００９】
汚泥ケーキに吸水布を押圧接触させて水分を吸い取る方式の汚泥脱水装置において、係止突起を突設した伸延しない素材からなる伸び防止帯を吸水布の裏面側に係止突起で刺合させて装着した構成である。また、前記伸び防止帯は、面ファスナーからなる構成でもある。また、前記伸び防止帯は、通水用の貫通孔若しくはスリットが設けられている構成でもある。さらに、前記伸び防止帯は、吸水布の幅と同一に形成され、吸水布の裏面の全面に装着されるか、または、細長帯体からなり吸水布の裏面に間隔を開けて帯状に装着される構成でもある。
【００１０】
汚泥ケーキに吸水布を押圧接触させて汚泥の水分を吸水し、吸水布を押圧脱水するとともに回転ブラシで清掃する方式の汚泥脱水装置において、脱水した状態の吸水布の汚れを取る回転ブラシの回転により吸水布の表面が毛羽立たないように回転ブラシを保護ネットの内部に装備した構成でもある。前記保護ネットは、円筒形若しくは円弧形状の長板からなる構成でもある。
【発明の効果】
【００１１】
本発明に係る汚泥脱水装置は上記詳述した通りの構成であるので、以下のような効果がある。
１．更に、吸水布と濾体を組み合わせた濾過脱水機に、隣接する濾体が交互に動く濾体軸をずらした機構を加えることにより汚泥が濾体上に滞留して目詰まりを起す事がない。
２．不織布とランダムに作動する濾体を組み合わせた濾過脱水機に伸び防止帯を装備することもできる。
３．面ファスナーを用いているので素材の入手が簡単で、安価で作成する事ができる。
４．伸び防止帯に通水用の貫通孔またはスリットが設けられているので排水効率が良い。
５．伸び防止帯が吸水布の幅の全面に装着され手いるので確実に伸びを防止できる。
６．保護ネットが設けられているので吸水布を洗浄しても表面が毛羽立たないので吸水効率が低下しない。
７．回転ブラシを円筒形若しくは円弧形状の保護ネットで覆っているので作業効率が良い。
【発明を実施するための最良の形態】
【００１２】
以下本発明にかかる汚泥脱水装置を図面に示す実施に基づいて詳細に説明する。図１は伸び防止帯と保護ネットを装備した本発明にかかる汚泥脱水装置の構成図であり、図２（ａ）伸び防止帯を装備した吸水布の側面図、（ｂ）孔を穿孔した伸び防止帯の構成図、（ｃ）孔を穿孔し更にスリットを設けた伸び防止帯の構成図である。図３（ａ）円筒形の保護ネットを回転ブラシに装備した斜視図、（ｂ）円弧形状の保護ネットを回転ブラシに装備した斜視図であり、図４は複数の濾体を用いた濾過脱水機構の構成斜視図である。図５（ａ）濾過脱水機構の平面図（ｂ）濾過脱水機構の側面図（ｃ）濾過脱水機構の右側面図であり、図６は汚泥脱水装置に装備される濾過脱水機構の側面図であり、図７は濾過脱水機構の動作図である。
汚泥脱水装置１０は、吸水布２０と伸び防止帯３０と回転ブラシ４０と駆動ロール５０と従動ロール６０と絞りロール７０とスクレーパ８０とからなる。また、回転ブラシに保護ネット９０を装備する構成とすることも可能である。
【００１３】
図１により本発明の汚泥脱水装置の構成を詳細に説明すると、汚泥脱水装置１０は上部脱水装置１２と下部脱水装置１３により汚泥ケーキを挟んで水分を吸引する構成である。吸水布２０は、汚泥ケーキに接触させてケーキに含有する水分を毛細管現象により吸水するための布であり、この実施例では一定幅の帯体からなる不織布を使用しており、ループ（環）状に形成されている。吸引した水分は基本的には吸水布の下部から液体として自重により落水する構成である。また、残存する水分は吸水布が回転移動して絞りロール７０で絞り取られる構成でもある。しかし、吸水布は使用により後述する駆動ロール５０や従動ロール６０や絞りロール７０で引っ張られて伸びて弛んでしまう傾向があった。
【００１４】
伸び防止帯３０は、伸縮性のない素材に突起が突設されているものを使用する。この実施例では面ファスナーを使用している。伸び防止帯３０を吸水布２０の下部から突起で刺合させて吸水布２０を下から刺すように装着することにより、吸水布２０と伸び防止帯３０が一体となり伸びて弛んでしまうことを防いでいる。また、突起は面ファスナー上に装備されており、面ファスナー自体に伸縮性がないので面ファスナーを利用するのが便利であるが、他にも伸縮性のない素材なら利用可能である。さらに、水分を吸収して飽和状態となった吸水布から水分が垂れ落ちるように伸び防止帯３０には図２で示すような孔３４もしくはスリット孔（図示せず）が設けられている。また、伸び防止帯３０は吸水布２０の裏側全長に渡って装着される構成であるが、長手方向に縦に帯状に装着して、スリットを形成することも可能である。帯状に装着する際には吸水布の長手方向に平行になるように伸び防止帯３０を装着する必要がある。
【００１５】
回転ブラシ４０は、吸水布２０の表面に付着した汚泥を取り除くための洗浄用のブラシであり、吸水布２０の表面を回転するブラシを接触させて擦って汚泥を取り除いている。回転ブラシ４０は、中心軸により回転する構成であり、回転しながら吸水布２０の表面をこするため汚泥の除去を効率的に行う事が可能である。
【００１６】
駆動ロール５０は、吸水布２０をスムーズに動作させるための円柱または円筒形状の駆動部であり、回転をすることにより表面で接触している吸水布２０を回転移動させる。
従動ロール６０は、駆動ロール５０が一端に配置さている際の他端に設置される。駆動ロール５０と従動ロール６０はセットで設置され、図１で示すように脱水装置上部と下部にそれぞれ１セットづつ配置される。駆動ロール５０はモータやエンジン等の駆動源と接続しているが、従動ロール６０には駆動源がなく、吸水布２０を誘導するために設置される。
【００１７】
絞りロール７０は、水分を含んだ吸水布２０から水分を絞り取るためのロールであり、この実施例では脱水装置上部に３箇所、脱水装置下部に２箇所設置されている。図１に示すように脱水装置上部には吸水布の裏側に２箇所、表面上に１箇所設置されており、交互に配置されている。また、脱水装置下部には裏側に１箇所、表面上に１箇所配置されている。これは表面側と裏側に交互に配置することにより吸水布２０が圧縮されて水分を絞り取る効率が良いためである。
【００１８】
スクレーパ８０は、回転ブラシ４０では落としきれなかった表面上の汚泥を剥がし取るために設置するブレードである。回転ブラシ４０はブラシで吸水布２０の表面を掻き落とすが、毛先は柔らかいために汚泥が表面に残ってしまう可能性がある。汚泥が残ったまま再度汚泥ケーキから吸水することも可能であるが、吸水効果が下がるので、表面の清掃のために剥がす装置を装備している。
【００１９】
また、この構成の汚泥脱水装置に保護ネット９０を装備することも可能である。
保護ネット９０は、回転ブラシ４０の外側周面に配置する網体であり、回転ブラシ４０の毛先が吸水布の表面を損傷することを防ぎ、汚泥が除去された後の吸水布２０の表面が毛羽立つのを防ぐものである。保護ネット９０は図３（ａ）に示すような円筒状に限定されず、図３（ｂ）に示すような円弧状のものを用いても良い。従来はこの種の保護ネット９０を装備していなかったため、回転ブラシ４０により吸水布２０の表面に付着している汚泥を除去する際にブラシの毛先が吸水布に刺さり吸水布２０の表面を毛羽立たせていた。表面が毛羽立ったままの状態で吸水布２０が再度汚泥ケーキに接触して水分を吸水すると、汚泥が吸水布の内部にまで入り込んで吸水効果が低下すると共に爾後の洗浄が難しくなっていた。この問題を解決するために保護ネット９０を装備した構成であり、伸び防止帯を装備しない汚泥脱水装置にも装備することが可能である。
【００２０】
本発明の汚泥脱水装置の動作を図１により詳細に説明する。図１では上部脱水装置１２と下部脱水装置１３の間の間隔が広く取られているが、これは構成を明確に説明するためであり、実際の間隔は図１の間隔より狭く取られている。吸水布２０は駆動ロール５０によりＡ方向に移動する。汚泥ケーキは図左上から順次脱水装置の吸水布２０の上に搭載供給される。上部脱水装置１２と下部脱水装置１３に装備された吸水布２０が上下から挟むように汚泥ケーキに接触する。汚泥ケーキの水分は毛細管現象により吸水布に吸引される。水分は毛細管現象により吸水布２０に吸い取られ汚泥ケーキは図右端に向かって排出される。吸水布２０に吸引された水分は自重により吸水布２０の背面の伸び防止帯３０に穿孔された孔３４より落下排出される構成である。
【００２１】
水分を吸水した吸水布２０は駆動ロール５０により回転移動しており、まずスクレーパ８０で表面についた汚泥が剥離分離される。次に回転ブラシ４０により表面についた汚泥が掻き落とされる。本発明では回転ブラシに保護ネット９０が装備されているので吸水布２０が毛羽立たず再度汚泥ケーキから水分を吸収するときに汚泥が吸水布２０の内部に入り込んでしまう心配が無い。次に上部脱水装置と下部脱水装置はそれぞれの絞りロール７０により吸水布２０内部に吸水されている水分が絞られて、再度汚泥の供給される図左側へ回転移動し再度汚泥ケーキから水分を取ることを繰り返す構成である。
【００２２】
本発明の汚泥脱水装置１０は下部脱水装置の中に、図４に示すような濾過脱水機構１００を装備することが可能である。
濾過脱水機構１００は、濾体１１０と、濾体軸１２０と、軸受けブロック１３０、とチェーン用ローラ１４０と、チェーン１５０と、板カム１６０と、カムフォロワ１６２と、駆動ロール１７０とからなる。
【００２３】
濾体１１０は、図４に示すように細長の長方体であり、濾体軸１２０に接合するための円筒形状の接合部１１２が設けられている構成である。また、濾体１１０は僅かな隙間を空けて並行に複数本並べて幅のある帯状に形成している。さらに、この実施例では隣り合う濾体１１０は同じ濾体軸１２０に接合されるのではなく、濾体１１０は一つおきに別の濾体軸１２０ａに接合されている。これにより、隣接する濾体は異なる軸に応動して上下するためランダムな動きとなり汚泥は常に揺らされて移動させられており、一箇所に停滞して目詰まりを起こす事が無くなる。
【００２４】
濾体軸１２０，１２０ａは、濾体１１０の接合部１１２と接合する軸であり、両端は軸受けブロック１３０と接合しており、一方の端部の伸延部でカムフォロワ１６２と接合している。濾体軸１２０は軸受けブロック１３０の移動により移動する構成である。
【００２５】
軸受けブロック１３０は、濾体軸１２０と嵌合する部材であり、チェーン１５０に設置されている。軸受けブロック１３０は濾体軸１２０を支持するための支持部材であり、回転自在に係合している。
【００２６】
チェーン用ローラ１４０は、チェーン１５０に係合する円柱状のローラであり、スムーズに動作するために表面は滑らかになっている。また、中心軸でチェーン１５０と係合している。
【００２７】
チェーン１５０は、ローラの回転を濾体に伝えて濾体列を回転させる伝導部材であり、軸受けブロック１３０が設置され、左右からチェーン用ローラ１４０を挟持し係合している。チェーン１５０は駆動ロール１７０と係合しており、駆動ロール１７０の動作により回転移動する。
【００２８】
板カム１６０は、連続した山形の設けられた凹凸のある直方体状の板であり、カムフォロワ１６２がその端面に沿って摺動する構成である。この実施例では板カム１６０の凹凸は滑らかな略三角形状の凹凸であり、カムフォロワ１６２が板カム上を通過していくことによりカムフォロワ１６２が上下に揺動する構成である。
カムフォロワ１６２は、図４で示すように円筒形の接合部１６４と円柱状の当接部１６６とからなる。接合部１６４は濾体軸１２０、１２０ａと堅固に接合しており、また当接部１６６は板カム１６０の端面に接して摺動する構成である。
【００２９】
駆動ロール１７０は、濾体を駆動させる回転体であり、図６で示すようにロールに係合しているチェーン１５０を回転させて濾体に回転運動を伝達している。駆動ロール１７０にはエンジンやモータ等の駆動源が接続されている。駆動ロール１７０が回転動作することによりチェーン１５０に係合している濾体１１０と濾体軸１２０、１２０ａを回転させる構成である。
【００３０】
濾過脱水機構１００は、図６に示すように駆動ロール１７０によりチェーン１５０が回転駆動し濾体列の全体が回転動作する構成である。図５で示すようにチェーン１５０には軸受けブロック１３０が設置されており、軸受けブロックには図４に示すように濾体軸１２０、１２０ａが嵌合している。濾体軸１２０、１２０ａには細長直方体の濾体１１０の接合部１１２が接続されており、さらに濾体軸の長手方向の片端にはカムフォロワ１６２が設けられている。図４に示すように、隣り合う濾体は同じ濾体軸１２０で接合せずに一つ若しくは２つ程前後に配置されている濾体軸１２０ａと接合している。チェーン１５０により全体が一体となって進行方向に移動するが、板カム１６０の凹凸によりカムフォロワ１６２が上下に揺動することにより接合している濾体軸１２０、１２０ａも上下に移動する。濾体軸１２０、１２０ａの運動により、接合されている濾体１１０も上下に揺動する。その結果、隣り合う濾体１１０は別の濾体軸１２０と１２０ａに接合しているため、それぞれ別個の動きとなり、ランダムに上下動することになる。
【００３１】
この濾体１１０の動作を図７により更に詳しく説明すると、第一濾体２００と第二濾体２１０は隣り合う濾体であるため、お互いに別の濾体軸と接合している。上述した濾体軸１２０の動きにより図７（ａ）のように第一濾体２００が低位置にあり、第二濾体２１０が高位置にある。また板カム１６０の凹凸により逆に図７（ｂ）に示すように第一濾体２００が高位置にあり、第二濾体２１０が低位置にある状態にもなり、図７（ａ）と（ｂ）の状態に交互になるように動作する。
この動作により、従来の濾過脱水装置では均等に濾体が並べられていたため汚泥の粒子等が隙間に入り込み目詰まりを起こしていたが上記の構成にする事により隣り合う濾体が別々の動きをするため、汚泥の粒子等が常に動かされる状態となり目詰まりを防止することが可能となる。また、隣り合う濾体が別々の動作を行う構成とすればよいので、３つ若しくは複数の濾体軸にそれぞれ濾体を設置する構成としてもよい。
【００３２】
この濾過脱水機構１００は、従来のどの汚泥脱水装置にも装備する事が可能であり、もちろん吸水布で汚泥ケーキから水分を吸収する他の構造の汚泥脱水装置にも設置する事が可能となる。また、この実施例では板カムおよびカムフォロアにより構成されているが、ラック（歯条）＆ピニオン（歯車）方式とすることも可能であり、その他の方法で構成することもできる。
【００３３】
本発明の汚泥脱水装置は、伸び防止帯を装備した吸水布を用いる事により、従来では延び弛んで吸水効果が低下して交換を余儀なくされていた吸水布を長期間使用することが可能となった。また、回転ブラシに保護ネットを装備することにより吸水布表面を毛羽立たせない構成としたので汚泥が吸水布内部に入り込む心配がなくなった。さらに濾過脱水機構の隣り合う濾体の動きをランダムにしたため、汚泥の粒子等で目詰まりが起きることを防止することが可能であり、効率よく水分を濾過する事が可能となった。
【図面の簡単な説明】
【００３４】
【図１】伸び防止帯と保護ネットを装備した本発明にかかる汚泥脱水装置の構成図
【図２】（ａ）伸び防止帯を装備した吸水布の側面図（ｂ）孔を穿孔した伸び防止帯の構成図（ｃ）孔を穿孔し更にスリットを設けた伸び防止帯の構成図
【図３】（ａ）円筒形の保護ネットを回転ブラシに装備した際の斜視図（ｂ）円弧形状の保護ネットを回転ブラシに装備した際の斜視図
【図４】濾過脱水機構の構成を示す斜視図
【図５】（ａ）濾過脱水機構の平面図（ｂ）濾過脱水機構の側面図（ｃ）濾過脱水機構の右側面図
【図６】汚泥脱水装置に装備される濾過脱水機構の側面図
【図７】濾過脱水機構の動作図
【符号の説明】
【００３５】
１      汚泥ケーキ
１０    汚泥脱水装置
１２    上部脱水装置
１３    下部脱水装置
２０    吸水布
３０    伸び防止帯
３４    孔
４０    回転ブラシ
５０    駆動ロール
６０    従動ロール
７０    絞りロール
８０    スクレーパ
９０    保護ネット
１００  濾過脱水機構
１１０  濾体
１１２  接合部
１２０、１２０ａ  濾体軸
１３０  軸受けブロック
１４０  チェーン用ローラ
１５０  チェーン
１６０  板カム
１６２  カムフォロワ
１６４  接合部
１６６  当接部
１７０  駆動ロール
２００  第一濾体
２１０  第二濾体
【図１】
2006055857.tif 000003
【図２】
2006055857.tif 000004
【図３】
2006055857.tif 000005
【図４】
2006055857.tif 000006
【図５】
2006055857.tif 000007
【図６】
2006055857.tif 000008
【図７】
2006055857.tif 000009